(57)【要約】      （修正有）【課題】より効果的に足裏をマッサージすることが可能な足裏マッサージ器を提供する。【解決手段】本足裏マッサージ器１は、利用者の足が乗せられる足乗せ部２０と、足乗せ部２０から足に向けて断続的に突出する突出運動を行う突出部材３０と、該突出部材３０に突出運動を行わせる駆動装置とを備え、足乗せ部２０には、足に向けて膨出する膨出領域２２が、足の前後方向の略中間部において左右方向に横断するように形成され、突出部材３０は、膨出領域２２に配置されている。【選択図】図１
0003166716.tif 000002
【実用新案登録請求の範囲】
【請求項１】
利用者の足が乗せられる足乗せ部と、
前記足乗せ部から前記足に向けて断続的に突出する突出運動を行う突出部材と、
前記突出部材に前記突出運動を行わせる駆動装置と、を備え、
前記足乗せ部には、前記足に向けて膨出する膨出領域が、前記足の前後方向の略中間部において左右方向に横断するように形成され、
前記突出部材は、前記膨出領域に配置されることを特徴とする、
足裏マッサージ器。
【請求項２】
前記膨出領域は、前記足の左右方向を長手方向とする略蒲鉾状に形成されることを特徴とする、
請求項１に記載の足裏マッサージ器。
【請求項３】
前記足乗せ部は、前記膨出領域から前記足の前後方向に離れるに従って前記足から遠ざかるように傾斜が設けられていることを特徴とする、
請求項１または２に記載の足裏マッサージ器。
【請求項４】
前記突出部材は、前記膨出領域の頂上部分に配置されることを特徴とする、
請求項１乃至３のいずれかに記載の足裏マッサージ器。
【請求項５】
前記突出部材は、前記足に対向する面に突起部が形成されることを特徴とする、
請求項１乃至４のいずれかに記載の足裏マッサージ器。
【請求項６】
前記突出部材は、第１の突起部と、前記第１の突起部よりも大きい第２の突起部と、が前記足に対向する面に形成され、
前記第２の突起部は、前記第１の突起部よりも前記足の内側に配置されることを特徴とする、
請求項５に記載の足裏マッサージ器。
【請求項７】
前記足乗せ部は、前記膨出領域以外の領域に凹凸形状が形成されることを特徴とする、
請求項１乃至６のいずれかに記載の足裏マッサージ器。
【請求項８】
前記足乗せ部を振動させる振動装置をさらに備えることを特徴とする、
請求項１乃至７のいずれかに記載の足裏マッサージ器。
【考案の詳細な説明】
【技術分野】
【０００１】
本考案は、足の裏をマッサージする足裏マッサージ器に関する。
【背景技術】
【０００２】
従来、足裏にマッサージを行い、健康を増進させる方法の１つとして、半分に割った竹を両足で踏む青竹踏みが知られている。近年では、この青竹踏み用の器具として、竹の代りにプラスチック等の合成樹脂を使用したものが増えてきている。また、表面に複数の突起を設け、足裏のツボを刺激するようにしたもの等も存在している（例えば、特許文献１参照）。
【０００３】
また、青竹踏み以外にも、足裏に振動を加えることによってマッサージを行うマッサージ器（例えば、特許文献２参照）や、作動子で足裏のツボを押圧することによってマッサージを行うマッサージ器（例えば、特許文献３参照）等、各種の足裏マッサージ器が存在している。
【先行技術文献】
【特許文献】
【０００４】
【特許文献１】特開２００２−３４５９２２号公報
【特許文献２】特開平８−１３１５００号公報
【特許文献３】特開２００９−１８３５５０号公報
【考案の概要】
【考案が解決しようとする課題】
【０００５】
しかしながら、従来の青竹踏み用の器具は、単に形状を工夫したものに留まっており、青竹踏み以上のマッサージ効果を得られるものは存在していなかった。また、従来の足裏マッサージ器は、足裏の適宜の位置を振動や押圧によって刺激するように工夫されているものの、青竹踏みによるマッサージ効果を取り入れたものは存在していなかった。
【０００６】
本考案は、斯かる実情に鑑み、より効果的に足裏をマッサージすることが可能な足裏マッサージ器を提供しようとするものである。
【課題を解決するための手段】
【０００７】
（１）本考案は、利用者の足が乗せられる足乗せ部と、前記足乗せ部から前記足に向けて断続的に突出する突出運動を行う突出部材と、前記突出部材に前記突出運動を行わせる駆動装置と、を備え、前記足乗せ部には、前記足に向けて膨出する膨出領域が、前記足の前後方向の略中間部において左右方向に横断するように形成され、前記突出部材は、前記膨出領域に配置されることを特徴とする、足裏マッサージ器である。
【０００８】
（２）本考案はまた、前記膨出領域は、前記足の左右方向を長手方向とする略蒲鉾状に形成されることを特徴とする、上記（１）に記載の足裏マッサージ器である。
【０００９】
（３）本考案はまた、前記足乗せ部は、前記膨出領域から前記足の前後方向に離れるに従って前記足から遠ざかるように傾斜が設けられていることを特徴とする、上記（１）または（２）に記載の足裏マッサージ器である。
【００１０】
（４）本考案はまた、前記突出部材は、前記膨出領域の頂上部分に配置されることを特徴とする、上記（１）乃至（３）のいずれかに記載の足裏マッサージ器である。
【００１１】
（５）本考案はまた、前記突出部材は、前記足に対向する面に突起部が形成されることを特徴とする、上記（１）乃至（４）のいずれかに記載の足裏マッサージ器である。
【００１２】
（６）本考案はまた、前記突出部材は、第１の突起部と、前記第１の突起部よりも大きい第２の突起部と、が前記足に対向する面に形成され、前記第２の突起部は、前記第１の突起部よりも前記足の内側に配置されることを特徴とする、上記（５）に記載の足裏マッサージ器である。
【００１３】
（７）本考案はまた、前記足乗せ部は、前記膨出領域以外の領域に凹凸形状が形成されることを特徴とする、上記（１）乃至（６）のいずれかに記載の足裏マッサージ器である。
【００１４】
（８）本考案はまた、前記足乗せ部を振動させる振動装置をさらに備えることを特徴とする、上記（１）乃至（７）のいずれかに記載の足裏マッサージ器である。
【考案の効果】
【００１５】
本考案に係る足裏マッサージ器によれば、より効果的に足裏をマッサージすることが可能という優れた効果を奏し得る。
【図面の簡単な説明】
【００１６】
【図１】本考案の実施形態に係る足裏マッサージ器の平面図である。
【図２】足裏マッサージ器の右側面図である。
【図３】図１のＡ−Ａ線断面図である。
【図４】図１のＢ−Ｂ線断面図である。
【図５】足裏マッサージ器の使用状態を示した図である。
【図６】（ａ）パターンＡ、Ｂ、Ｄにおけるパルス信号を示した概略図である。（ｂ）パターンＣにおけるパルス信号を示した概略図である。（ｃ）および（ｄ）パターンＡ〜Ｄにおける好ましいパルス幅Ｗおよびパルス間隔Ｓを示した表である。
【図７】突出部材のその他の形状の例を示した断面図である。
【考案を実施するための形態】
【００１７】
以下、図面を参照して本考案の実施の形態の例について詳細に説明する。
【００１８】
図１は、本実施形態に係る足裏マッサージ器１の平面図であり、図２は、足裏マッサージ器１の右側面図である。また、図３は、図１のＡ−Ａ線断面図であり、図４は、図１のＢ−Ｂ線断面図である。
【００１９】
図１および２に示されるように、本実施形態の足裏マッサージ器１は、利用者の両足を上部に乗せて使用するものであり、略矩形状の箱体である本体１０と、本体１０の上部に設けられた足乗せ部２０と、足乗せ部２０に配置された突出部材３０と、を備えて構成されている。
【００２０】
また、図３および４に示されるように、足裏マッサージ器１は、突出部材３０を駆動する駆動装置４０と、足乗せ部２０を振動させる振動装置５０と、駆動装置４０および振動装置５０を制御する制御装置６０と、を本体１０の内部に備えている。
【００２１】
本体１０は、突出部材３０、駆動装置４０、振動装置５０および制御装置６０を内部に収容可能に構成された中空の箱体であり、上側部材１２および下側部材１４を組み合わせて構成されている。上側部材１２および下側部材１４は、合成樹脂等の適宜の材質から構成されている。また、図示は省略しているが、上側部材１２および下側部材１４の内側には、適宜に補強リブが形成されており、利用者の体重以上の荷重を支えることが可能な十分な強度を有しながらも軽量に構成されている。
【００２２】
本体１０の正面側（前部）には、足裏マッサージ器１を操作するためのボタンや各種表示装置等を備えた操作パネル１６が設けられている。また、本体１０の底面には、合成ゴム等の弾性素材からなる４つの脚１８が設けられている。本実施形態では、このように脚１８を設けることで、駆動装置４０や振動装置５０によって発生した振動を、足裏マッサージ器１が設置された床面に伝えないようにしている。
【００２３】
足乗せ部２０は、本体１０の上面に設けられており、図１に二点鎖線で示すように利用者の足が乗せられる領域である。足乗せ部２０は、前後方向（図１の上下方向）の略中央部において左右方向に横断するように形成された膨出領域２２と、膨出領域２２の前方に形成された第１の傾斜領域２４と、膨出領域２２の後方に形成された第２の傾斜領域２６と、から構成されている。
【００２４】
膨出領域２２は、上方に向けて膨出すると共に、左右方向を長手方向とする略蒲鉾状に形成されている。すなわち、膨出領域２２は、半分に割った竹に類似する形状に形成されており、利用者が足を乗せた場合に青竹踏みと同様のマッサージ効果を奏するように構成されている。なお、本実施形態では、膨出領域２２の前後方向に沿う断面形状を略半楕円形状に構成しているが（図２参照）、本考案はこれに限定されるものではなく、膨出領域２２の前後方向に沿う断面形状は、例えば略半円形状や略台形状等のその他の形状であってもよい。
【００２５】
第１の傾斜領域２４および第２の傾斜領域２６は、膨出領域２２から遠ざかるに従って、なだらかに高さが低くなる傾斜面となっている。本実施形態では、このように第１の傾斜領域２４および第２の傾斜領域２６を傾斜面から構成することにより、膨出領域２２による青竹踏み効果をさらに高めるようにしている。
【００２６】
また、本実施形態では、第１傾斜面２４および第２傾斜面２６の表面に、滑り止めとして複数の略スリット状の溝からなる凹凸形状２８を設けるようにしている。このように、滑り止めの凹凸形状２８を設けることにより、利用者の足の位置をマッサージ中に安定させることが可能となるため、より効果的にマッサージを行うことができる。
【００２７】
なお、この凹凸形状２８は、例えば複数の略半球状の突起からなる形状等、その他の形状のものであってもよく、さらに、足裏のツボを適宜に刺激するような形状のものであってもよい。また、膨出領域２２の表面に凹凸形状２８を設けるようにしてもよい。
【００２８】
突出部材３０は、駆動装置４０に駆動されて足裏部２０から利用者の足裏に向けて断続的に突出し、叩きによるマッサージを行うものである。突出部材３０は、合成ゴム等の弾性素材から構成された略直方体のブロック状に構成されており、膨出領域２２の頂上部分に形成された孔部２２ａ内に挿入された状態で配置されている。孔部２２ａは、利用者の両足の位置に対応させた左右２箇所の位置に形成されており、突出部材３０は、２つの孔部２２ａのそれぞれに配置されている。
【００２９】
このように本実施形態では、膨出領域２２の頂上部分に突出部材３０を配置することにより、膨出領域２２によって押圧されて伸ばされた利用者の足の土踏まず部分に、さらに叩きによるマッサージを加えるようにしている。このようにすることで、青竹踏みによるマッサージ効果と叩きによるマッサージ効果を相乗的に発揮させることが可能となり、より効果的なマッサージを行うことが可能となる。
【００３０】
突出部材３０の上面３２、すなわち利用者の足裏に対向する面は、膨出領域２２の表面に沿う曲面状に構成されている。そして、突出部材３０の上面３２には、略ドーム状の突起である第１の突起部３４および第２の突起部３６が、左右方向に並べて形成されている。この第１の突起部３４および第２の突起部３６は、第２の突起部３６が第１の突起部３４よりも大きく構成されると共に、左右２つの突出部材３０のそれぞれにおいて、第２の突起部３６が第１の突起部３４の内側に位置するように配置されている（図１または３参照）。
【００３１】
このように本実施形態では、突出部材３０の上面３２に第１の突起部３４および第２の突起部３６を左右方向に並べて配置することにより、叩きによるマッサージにおいて利用者の足の土踏まずの外側部分および内側部分のツボを同時且つ効果的に刺激することを可能としている。また、内側に配置する第２の突起部３６を外側に配置する第１の突起部３４よりも大きく構成することにより、土踏まずの外側部分のツボに対する刺激と内側部分のツボに対する刺激を適度にバランスさせるようにしている。
【００３２】
なお、第１の突起部３４および第２の突起部３６は、上面３２からの突出高さを異ならせてもよいし、略等しくしてもよい。また、第１の突起部３４および第２の突起部３６は、例えば円錐状やピラミッド状等、ドーム状以外の形状であってもよく、さらに、第１の突起部３４および第２の突起部３６を互いに異なる形状に構成するようにしてもよい。
【００３３】
駆動装置４０は、突出部材３０を駆動し、膨出領域２２から上方に向けて断続的に突出する突出運動を行わせるものである。本実施形態では、駆動装置４０をソレノイドから構成しており、突出部材３０は可動鉄心４２に接続されている。そして、駆動装置４０は、制御装置６０からパルス信号を受信した場合に、可動鉄心４２および突出部材３０を上方に向けて移動させるように構成されている。
【００３４】
本実施形態では、駆動装置４０は、可動鉄心４２を上方に向けて付勢するバネ４４を備えており、このバネ４４の付勢力によって突出部材３０は、待機状態において突出部材３０の上面３２が膨出領域２２の表面から僅かに突出した状態を維持するようになっている。そして、駆動装置４０は、足乗せ部２０に利用者の足が乗せられ、利用者の足によって突出部材３０が下方に押し込まれた場合に、最適な押圧力を発生する位置に可動鉄心４２が位置するように設定されている。
【００３５】
また、駆動装置４０は、ゴム等の弾性素材からなるダンパ４６を介して本体１０の下側部材１４に固定されている。すなわち、本実施形態では、駆動装置４０が突出部材３０を駆動する際の振動をダンパ４６により減衰させることで、振動が他の部分に伝わらないようにしている。なお、駆動装置４０を構成するソレノイドのタイプは特に限定されるものではなく、また、モータおよびクランク等のその他の既知の機構から駆動装置４０を構成するようにしてもよい。
【００３６】
振動装置５０は、足乗せ部２０を振動させることにより、振動によるマッサージを行うものである。本実施形態では、モータ５２および偏心させた錘５４からなる振動モータから振動装置５０を構成している。振動装置５０は、適宜のブラケット等を介して、左右２つの突出部材３０の間の膨出領域２２の内側部分に固定されている。
【００３７】
このように本実施形態では、振動装置５０を設けることにより、青竹踏みによるマッサージ効果および叩きによるマッサージ効果に加えて、さらに振動によるマッサージ効果を相乗的に発揮させることを可能としている。すなわち、本実施形態では、利用者の足裏に対して３種類の異なるマッサージを複合的に行うことにより、マッサージをより効果的に行うことが可能となっている。
【００３８】
制御装置６０は、ＣＰＵ、ＲＯＭおよびＲＡＭ等を備えて構成され、駆動装置４０および振動装置５０を制御するものである。制御装置６０は、本体１０内部において、下側部材１４上の正面側に配置されている（図４参照）。
【００３９】
図５は、足裏マッサージ器１の使用状態を示した図である。本実施形態の足裏マッサージ器１は、同図に示されるように、利用者が足乗せ部２０の上に足を乗せて使用する。このとき、利用者は、足乗せ部２０の上に立った状態であってもよいし、椅子などに座った状態で足乗せ部２０に足を乗せるようにしてもよい。
【００４０】
利用者が足乗せ部２０に足を乗せると、膨出領域２２によって指と踵の間の部分が押圧されると共に伸ばされることとなる。従って、本実施形態の足裏マッサージ器１は、足乗せ部２０に足を乗せるだけで、青竹踏みと同一のマッサージ効果を得られるようになっている。
【００４１】
特に、本実施形態では、第１傾斜面２４および第２傾斜面２６を傾斜させているため、利用者の足裏は、単に床面に半割の青竹等を置いた場合よりも、さらに大きく反った状態となる。従って、本実施形態の足裏マッサージ器１によれば、従来の青竹踏み用器具以上のマッサージ効果を得ることが可能となっている。
【００４２】
そして、この状態から突出部材３０を動作させる（突出運動を行わせる）ことにより、足裏の指と踵の間の部分に、さらに叩きによるマッサージが加えられることとなる。この叩きによるマッサージは、膨出領域２２によって押圧されて伸ばされた部分に対して行われるため、従来のマッサージ器に比して、高いマッサージ効果を得ることが可能となっている。
【００４３】
さらに、振動装置５０を動作させることにより、足裏の全体に振動によるマッサージが加えられるため、３種類の異なるマッサージが一度に足裏に対して行われることとなる。従って、本実施形態によれば、従来のマッサージ器にはない複合的なマッサージを行うことが可能であり、より効果的なマッサージを行うことが可能となっている。
【００４４】
なお、本実施形態では、突出部材３０および振動装置５０の動作モードを、強めのマッサージを行うＨｉモードと、弱めのマッサージを行うＬｏモードの２種類から選択できるようになっている。利用者は、操作パネル１６を操作して、ＨｉモードまたはＬｏモードのいずれかを選択して突出部材３０および振動装置５０を動作させる。
【００４５】
突出部材３０および振動装置５０は、両方を同時に動作させることもできるし、いずれか片方のみを動作させることもできる。また、突出部材３０および振動装置５０の動作は、本実施形態では、ＨｉモードおよびＬｏモードのいずれにおいても３分間で自動的に動作を終了するようになっている。
【００４６】
さらに、本実施形態では、突出部材３０の動作に変化を付けることで、よりマッサージ効果を高めるようにしている。具体的には、突出部材３０の動作は、略一定の強さの叩きを略一定の間隔で足裏に加えるパターンＡと、略一定の強さの叩きをパターンＡよりも長い略一定の間隔で足裏に加えるパターンＢと、異なる強さの叩きを略一定の間隔で交互に足裏に加えるパターンＣと、略一定の強さの叩きをパターンＡよりも短い略一定の間隔で足裏に加えるパターンＤと、を組み合わせて構成されている。
【００４７】
本実施形態では、突出部材３０を駆動する駆動装置４０をソレノイドから構成しており、制御装置６０は、駆動装置４０にパルス信号を送信することにより、駆動装置４０に突出運動を行わせている。従って、本実施形態では、制御装置６０から駆動装置４０に送信するパルス信号のパルス幅およびパルス間隔を変更することによって、パターンＡ〜Ｄの４つの動作パターンを設定している。すなわち、本実施形態では、制御装置６０から駆動装置４０に送信するパルス信号のパルス幅によって利用者の足裏に加える叩きの強さを設定し、パルス間隔によって叩きの間隔を設定している。
【００４８】
図６（ａ）は、パターンＡ、Ｂ、Ｄにおけるパルス信号を示した概略図である。同図に示されるように、制御装置６０は、パターンＡ、Ｂ、Ｄにおいては、一定の幅Ｗのパルス信号を、一定の間隔Ｓで駆動装置４０に送信する。駆動装置４０は、パルス信号を受信した場合に突出部材３０を突出させるため、パターンＡ、Ｂ、Ｄにおいて突出部材３０は、一定の間隔Ｓで断続的に、パルス信号の幅Ｗに応じた強さで利用者の足裏に叩きを加えることとなる。
【００４９】
図６（ｂ）は、パターンＣにおけるパルス信号を示した概略図である。同図に示されるように、制御装置６０は、パターンＣにおいては、幅Ｗ１のパルス信号と、幅Ｗ１より短い幅Ｗ２のパルス信号を、一定の間隔Ｓで交互に駆動装置４０に送信する。従って、パターンＣにおいて突出部材３０は、幅Ｗ１に応じた強い叩きと幅Ｗ２に応じた弱い叩きを、一定の間隔Ｓで交互に利用者の足裏に加えることとなる。
【００５０】
なお、本実施形態では、パターンＡ〜Ｄのいずれにおいても、制御装置６０から左右２つの駆動装置４０に送信するパルス信号に所定の位相ずれＧを設けるようにしている。すなわち、本実施形態では、左右２つの駆動装置４０に対して交互にパルス信号を送信するようにしており、利用者の左右の足裏には交互に叩きが加えられるようになっている。
【００５１】
このようにすることで、マッサージ師の両手による叩きを再現した快適なマッサージを行うことができる。なお、本実施形態では、この位相ずれＧをパルス間隔Ｓの約半分に設定している。
【００５２】
図６（ｃ）および（ｄ）は、パターンＡ〜Ｄにおける好ましいパルス幅Ｗおよびパルス間隔Ｓを示した表であり、同図（ｃ）はＨｉモードの場合を、同図（ｄ）はＬｏモードの場合を示している。
【００５３】
本実施形態では、パターンＡは、比較的速いリズムで突出部材３０を突出させる動作パターンとなっている。従って、例えばＨｉモードでは、同図（ｃ）に示されるように、パターンＡにおけるパルス幅Ｗは、５〜３０ｍｓｅｃの範囲内の値に設定されることが好ましく、パターンＡにおけるパルス間隔Ｓは、１００〜２００ｍｓｅｃの範囲内の値に設定されることが好ましい。
【００５４】
また、パターンＢは、比較的ゆっくりしたリズムで突出部材３０を突出させる動作パターンとなっている。ＨｉモードのパターンＢにおいて、パルス幅Ｗは５〜３０ｍｓｅｃの範囲内の値に設定されることが好ましく、パルス間隔Ｓは３００〜４００ｍｓｅｃの範囲内の値に設定されることが好ましい。
【００５５】
また、パターンＣは、突出部材３０による押圧力を比較的ゆっくりしたリズムで交互に変化させる動作パターンとなっている。ＨｉモードのパターンＣにおいて、パルス幅Ｗ１は１０〜３０ｍｓｅｃの範囲内の値に設定されることが好ましく、パルス幅Ｗ２は５〜１０の範囲内の値に設定されることが好ましい。また、ＨｉモードのパターンＣにおいて、パルス間隔Ｓは、３００〜４５０ｍｓｅｃの範囲内の値に設定されることが好ましい。
【００５６】
また、パターンＤは、突出部材３０を短い間隔で突出させ、半ば振動させるように動作させる動作パターンとなっている。ＨｉモードのパターンＤにおいて、パルス幅Ｗは５〜３０ｍｓｅｃの範囲内の値に設定することが好ましく、パルス間隔Ｓは５〜３０ｍｓｅｃの範囲内の値に設定することが好ましい。
【００５７】
また、本実施形態では、Ｈｉモードよりも全体的にゆっくりとしたリズムで叩きを加える動作モードをＬｏモードとしている。従って、Ｌｏモードでは、同図（ｄ）に示されるように、パターンＡにおけるパルス幅Ｗは、Ｈｉモードと同等の５〜３０ｍｓｅｃの範囲内の値に設定されることが好ましく、パターンＡにおけるパルス間隔Ｓは、Ｈｉモードより長い１５０〜２５０ｍｓｅｃの範囲内の値に設定されることが好ましい。
【００５８】
同様に、ＬｏモードのパターンＢにおいて、パルス幅Ｗは５〜３０ｍｓｅｃの範囲内の値に設定されることが好ましく、パルス間隔Ｓは４５０〜５００ｍｓｅｃの範囲内の値に設定されることが好ましい。また、ＬｏモードのパターンＣにおいて、パルス幅Ｗ１は１０〜３０ｍｓｅｃの範囲内の値に、パルス幅Ｗ２は５〜１０ｍｓｅｃの範囲内の値に設定されることが好ましく、パルス間隔Ｓは３５０〜５００ｍｓｅｃの範囲内の値に設定されることが好ましい。また、ＬｏモードのパターンＤにおいて、パルス幅Ｗは５〜３０ｍｓｅｃの範囲内の値に設定されることが好ましく、パルス間隔Ｓは１０〜４０ｍｓｅｃの範囲内の値に設定されることが好ましい。
【００５９】
このように、パターンＡ〜Ｄにおけるパルス幅Ｗおよびパルス間隔Ｓを設定することにより、膨出領域２２による青竹踏みと組合せた場合においても、利用者に不快感を与えることなく、より効果的に叩きによるマッサージを行うことが可能となっている。
【００６０】
なお、ＨｉモードおよびＬｏモードのそれぞれにおいて、パターンＡ、Ｂ、Ｄにおけるパルス幅Ｗは、同一であってもよいし、異なっていてもよい。また、ＬｏモードのパターンＡ〜Ｄにおけるパルス幅Ｗは、ＨｉモードのパターンＡ〜Ｄにおけるパルス幅Ｗと同一であってもよいし、短いものであってもよい。
【００６１】
本実施形態では、突出部材３０の動作パターンの組合せとして、パターンＡ（１６秒）→パターンＢ（４秒）→パターンＡ（４秒）→パターンＢ（４秒）→パターンＡ（４秒）→パターンＢ（４秒）→パターンＡ（４秒）→パターンＣ（１５秒）→パターンＤ（５秒）の組合せを１セット（６０秒）とし、これを自動停止するまでの３分間の動作期間中に３セット繰り返すようにしている。
【００６２】
突出部材３０の動作パターンをこのような組み合わせにすることにより、始めにパターンＡによって利用者の足裏を適宜のリズムでほぐした後に、パターンＡおよびＢによるテンポを変化させたリズミカルな叩きと、パターンＣによる強弱を付けた叩きを加え、最後にパターンＤによる微細な仕上げ振動を加えるという変化に富んだマッサージを行うことができる。これにより、突出部材３０によるマッサージをより効果的にすると共に、利用者が突出部材３０の単調な動作に飽きてしまわないようにすることが可能となる。
【００６３】
なお、本実施形態では、ＨｉモードおよびＬｏモードのいずれにおいても同じ動作パターンの組合せを使用するようにしているが、ＨｉモードおよびＬｏモードのそれぞれに異なる動作パターンの組合せを用意するようにしてもよい。また、動作パターンの組合せを複数用意しておき、利用者がそのうちの１つを選択できるようにしてもよい。
【００６４】
以上説明したように、本実施形態に係る足裏マッサージ器１は、利用者の足が乗せられる足乗せ部２０と、足乗せ部２０から足に向けて断続的に突出する突出運動を行う突出部材３０と、突出部材３０に突出運動を行わせる駆動装置４０と、を備え、足乗せ部２０には、足に向けて膨出する膨出領域２２が、足の前後方向の略中間部において左右方向に横断するように形成され、突出部材３０は、膨出領域２２に配置されている。
【００６５】
このような構成とすることで、青竹踏みによるマッサージ効果と叩きによるマッサージ効果を相乗的に発揮させることが可能となり、従来のマッサージ器よりも効果的に足裏をマッサージすることができる。
【００６６】
また、膨出領域２２は、足の左右方向を長手方向とする略蒲鉾状に形成されている。このようにすることで、従来の青竹踏み用の器具と同等のマッサージ効果を得ることができる。
【００６７】
また、足乗せ部２０は、膨出領域２２から足の前後方向に離れるに従って足から遠ざかるように傾斜が設けられている（第１の傾斜領域２４および第２の傾斜領域２６）。このようにすることで、利用者の足裏を十分に反らせることが可能となるため、従来の青竹踏み用の器具よりも高いマッサージ効果を得ることができる。
【００６８】
また、突出部材３０は、膨出領域２２の頂上部分に配置されている。このようにすることで、膨出領域２２によって押圧され、伸ばされた部分に叩きによるマッサージを加えることができるため、より効果的にマッサージを行うことができる。
【００６９】
また、突出部材３０は、足に対向する面（上面３２）に突起部（第１の突起部３４および第２の突起部３６）が形成されている。このようにすることで、叩きによるマッサージと共に足裏のツボを適宜に刺激することができるため、より効果的にマッサージを行うことができる。
【００７０】
また、突出部材３０は、第１の突起部３４と、第１の突起部３４よりも大きい第２の突起部３６と、が足に対向する面（上面３２）に形成され、第２の突起部３６は、第１の突起部３４よりも足の内側に配置されている。このようにすることで、土踏まずの外側部分のツボに対する刺激と内側部分のツボに対する刺激を適度にバランスさせることが可能となり、より効果的にマッサージを行うことができる。
【００７１】
また、足乗せ部２０は、膨出領域２２以外の領域に凹凸形状２８が形成されている。このようにすることで、マッサージ中に利用者の足の位置を安定させることが可能となるため、より効果的にマッサージを行うことができる。
【００７２】
また、足裏マッサージ器１は、足乗せ部２０を振動させる振動装置５０をさらに備えている。このようにすることで、複合的なマッサージを行うことが可能となるため、より効果的にマッサージを行うことができる。
【００７３】
なお、本実施形態では、本体１０を平面視が略矩形状となる形状に構成した例を示したが、本考案はこれに限定されるものではなく、本体１０の形状は、例えばハート形や足形に合わせた形状等、その他の形状であってもよい。
【００７４】
また、本実施形態では、突出部材３０をブロック状に構成し、上面３２に第１の突起部３４および第２の突起部３６を設けた例を示したが、本考案はこれに限定されるものではなく、突出部材３０の形状は、例えば先端を丸めた円柱状や球状、楕円体状等、その他の形状であってもよい。
【００７５】
また、図７に示されるように、複数の突出部材３０を専用の孔部２２ａから個別に突出させるようにしてもよい。なお、図７に示す例では、突出部材３０を先端を丸めた円柱状に構成した例を示したが、その他の形状であってもよいことは言うまでもない。また、複数の突出部材３０を設ける場合、その大きさは略同一であってもよいし、異ならせてもよい。また、複数の突出部材３０を、それぞれ専用の駆動装置４０で個別に動作させるようにしてもよい。
【００７６】
また、本実施形態では、突出部材３０を膨出領域２２のみに配置した例を示したが、本考案はこれに限定されるものではなく、膨出領域２２に加えて、膨出領域２２以外の領域にも突出部材３０を配置するようにしてもよい。また、突出部材３０を、膨出領域２２の頂上部分以外の部分に配置するようにしてもよい。
【００７７】
以上、本考案の実施の形態について説明したが、本考案の足裏マッサージ器は、上記した実施の形態に限定されるものではなく、本考案の要旨を逸脱しない範囲内において種々変更を加え得ることは勿論である。
【産業上の利用可能性】
【００７８】
本考案の足裏マッサージ器は、足の裏だけではなく、例えばふくらはぎや二の腕、腰、背中等、人体の各部のマッサージに利用することができる。
【符号の説明】
【００７９】
１  足裏マッサージ器
２０  足乗せ部
２２  膨出領域
２４  第１の傾斜領域
２６  第２の傾斜領域
２８  凹凸形状
３０  突出部材
３２  突出部材の上面
３４  第１の突起部
３６  第２の突起部
４０  駆動装置
５０  振動装置
【図１】
0003166716.tif 000003
【図２】
0003166716.tif 000004
【図３】
0003166716.tif 000005
【図４】
0003166716.tif 000006
【図５】
0003166716.tif 000007
【図６】
0003166716.tif 000008
【図７】
0003166716.tif 000009